(57)【特許請求の範囲】
【請求項１】
容器体（Ａ）内の液と外気とを混合・起泡して泡として吐出する泡吐出器であって、
口頸部（１２）を起立した容器体（Ａ）と、容器体（Ａ）に装着したフォーマーポンプ（Ｂ）とを備え、
フォーマーポンプ（Ｂ）は、口頸部（１２）外周に装着筒（２０）を嵌合して容器体（Ａ）に装着するとともに、装着筒（２０）上に連設して口頸部（１２）上に位置させた大径の空気用シリンダ（２１）と、空気用シリンダ（２１）と同心円状に連設して容器体（Ａ）内に垂下した小径の液用シリンダ（２２）とを備えたシリンダ部材（Ｂ１）と、液用シリンダ（２２）内を摺動する液用ピストン（３０）をステム（３１）外周下部より突設するとともに、空気用シリンダ（２１）内を摺動する空気用ピストン（３２）をステム（３１）外周上部に連係させ、吐出口（４８）をステム（３１）内と連通させた吐出ヘッド（３３）を上端に設けて上方付勢状態で上下動可能に装着した作動部材（Ｂ２）とを備え、作動部材（Ｂ２）の上下動により液用シリンダ（２２）内の液と空気用シリンダ（２１）内の空気を合流させて起泡させ、吐出ヘッド（３３）の吐出口（４８）より泡として吐出するように設け、
液の減少により負圧化した容器体（Ａ）内に外気を導入する負圧解除弁（５０）を構成する負圧解除弁体（Ｃ）を設け、
該負圧解除弁体（Ｃ）は、口頸部（１２）上面と空気用シリンダ（２１）下面との間に挟持させ、上面に内外を連通する通気用溝（５１）を設けたフランジ（５２）と、フランジ（５２）内周縁より液用シリンダ（２２）外周と隙間をあけて垂設するとともに、下端縁を液用シリンダ（２２）外周に開閉可能に密嵌させた筒状弁板（５３）とを備え、
筒状弁板（５３）と液用シリンダ（２２）外面とで負圧解除弁（５０）を構成した泡吐出器。
【請求項２】
容器体（Ａ）が有低筒状の胴部（１０）より肩部（１１）を介して口頸部（１２）を起立してなり、シリンダ部材（Ｂ１）が、容器体胴部（１０）外周と同外径の外周面を備えた装着筒（２０）と、容器体胴部（１０）外周と同外径の外周面を備えた空気用シリンダ（２１）を備えている請求項１に記載の泡吐出器。
【発明の詳細な説明】
【技術分野】
【０００１】
本発明は泡吐出器に関する。
【背景技術】
【０００２】
装着した容器体内の液と外気とを混合・起泡して泡として吐出する泡吐出器が提案されている（例えば、特許文献１参照）。
【０００３】
上記特許文献１に記載された泡吐出器は、容器体の口頸部外周に嵌合させた装着キャップに上端部を固定して容器体内に垂下するとともに、大径の空気用シリンダ及び小径の液用シリンダを上下に同心円状に連設してなるシリンダ部材と、液用シリンダ内を摺動する液用ピストンをステム外周下部より突設するとともに、空気用シリンダ内を摺動する空気用ピストンをステム外周上部に連係させ、ステム上端に吐出ヘッドを嵌着して上方付勢状態で上下動可能に装着した作動部材とを備え、作動部材の上下動により液用シリンダ内の液と空気用シリンダ内の空気を合流させて起泡させ、吐出ヘッドの吐出口より泡として吐出する如く構成している。
【０００４】
従って、容器体内に大径の空気用シリンダと、その下方に連設した小径の液用シリンダとを、一緒に挿入した状態で使用するため、容器体の内容積に比較して使用可能な液の量が極めて小量に限定されるという不都合がある。
【先行技術文献】
【特許文献】
【０００５】
【特許文献１】特開２００９−２０８７８６号公報
【発明の概要】
【発明が解決しようとする課題】
【０００６】
本発明は上記した点に鑑みてなされたもので、使用する液体を収納する容器体内のデッドスペースを減らして容器体を小型化でき、しかも構造を簡素化して成形用の樹脂量の削減を行なえるとともに、全体的なスリム化が可能であり、また、外観も良好に形成でき、容器体の交換も簡単に行える泡吐出器を提案する。
【課題を解決するための手段】
【０００７】
第１の手段として、以下の通り構成した。即ち、容器体Ａ内の液と外気とを混合・起泡して泡として吐出する泡吐出器であって、
口頸部１２を起立した容器体Ａと、容器体Ａに装着したフォーマーポンプＢとを備え、
フォーマーポンプＢは、口頸部１２外周に装着筒２０を嵌合して容器体Ａに装着するとともに、装着筒２０上に連設して口頸部１２上に位置させた大径の空気用シリンダ２１と、空気用シリンダ２１と同心円状に連設して容器体Ａ内に垂下した小径の液用シリンダ２２とを備えたシリンダ部材Ｂ１と、液用シリンダ２２内を摺動する液用ピストン３０をステム３１外周下部より突設するとともに、空気用シリンダ２１内を摺動する空気用ピストン３２をステム３１外周上部に連係させ、吐出口４８をステム３１内と連通させた吐出ヘッド３３を上端に設けて上方付勢状態で上下動可能に装着した作動部材Ｂ２とを備え、作動部材Ｂ２の上下動により液用シリンダ２２内の液と空気用シリンダ２１内の空気を合流させて起泡させ、吐出ヘッド３３の吐出口４８より泡として吐出するように設け、
液の減少により負圧化した容器体Ａ内に外気を導入する負圧解除弁５０を構成する負圧解除弁体Ｃを設け、
該負圧解除弁体Ｃは、口頸部１２上面と空気用シリンダ２１下面との間に挟持させ、上面に内外を連通する通気用溝５１を設けたフランジ５２と、フランジ５２内周縁より液用シリンダ２２外周と隙間をあけて垂設するとともに、下端縁を液用シリンダ２２外周に開閉可能に密嵌させた筒状弁板５３とを備え、
筒状弁板５３と液用シリンダ２２外面とで負圧解除弁５０を構成した。
【０００９】
第２の手段として、以下の通り構成した。即ち、前記第１の手段に於いて、容器体Ａが有低筒状の胴部１０より肩部１１を介して口頸部１２を起立してなり、シリンダ部材Ｂ１が、容器体胴部１０外周と同外径の外周面を備えた装着筒２０と、容器体胴部１０外周と同外径の外周面を備えた空気用シリンダ２１を備えている。
【発明の効果】
【００１０】
本発明によれば、容器体Ａ内のフォーマーポンプＢの占める割合が極端に減少し、同じ量の液を収納した従来の容器体と比較して容器体Ａの大きさを極めて小さいものとすることができる。また、シリンダ部材Ｂ１がフォーマーポンプＢを容器体Ａに装着する装着部材の役割も果たすため、構造が簡素化され成形用の樹脂量を極力削減することができる。
【００１１】
液の減少により負圧化した容器体Ａ内に外気を導入する負圧解除弁５０を構成する負圧解除弁体Ｃを設け、該負圧解除弁体Ｃは、口頸部１２上面と空気用シリンダ２１下面との間に挟持させ、上面に内外を連通する通気用溝５１を設けたフランジ５２と、フランジ５２内周縁より液用シリンダ２２外周と隙間をあけて垂設するとともに、下端縁を液用シリンダ２２外周に開閉可能に密嵌させた筒状弁板５３とを備え、筒状弁板５３と液用シリンダ２２外面とで負圧解除弁５０を構成した場合には、容器体Ａ内の負圧化を確実に防止できて円滑なポンプ機能を発揮でき、また、容器体Ａが負圧で凹む等の不都合を防止できる。
【００１２】
また、負圧解除弁体Ｃは構造が極めて簡単であるため作成が容易であり、泡吐出器１への装着も簡単に行える。更に、シリンダ部材Ｂ１に対して負圧解除弁体Ｃを嵌着固定させておくことができるため、この負圧解除弁体Ｃを装着しても容器体Ａの着脱が可能となり、容器体Ａ内の液が無くなった際の詰め替え、或いは詰め替え容器の交換等が容易に行えるという利点がある。また、容器体ＡとフォーマーポンプＢとの間、具体的には、口頸部１２と空気用シリンダ底壁２１ｂとの間のパッキンの作用も併せて発揮することが可能である。
【００１３】
容器体Ａが有底筒状の胴部１０より肩部１１を介して口頸部１２を起立してなり、シリンダ部材Ｂ１が、容器体胴部１０外周と同外径の外周面を備えた装着筒２０と、容器体胴部１０外周と同外径の外周面を備えた空気用シリンダ２１を備えている場合には、容器体Ａの下端からシリンダ部材Ｂ１の上端まで同径の縦長筒状形態を得られ、ハンディタイプの吐出器として使用する場合に取り扱いが便利であり、しかも容器体Ａ内のデッドスペースが小さいため、容器体Ａの大きさを小型化しても効率の良い液の使用が可能となる。
【図面の簡単な説明】
【００１４】
【図１】泡吐出器の縦断面図である。（第１実施例）
【図２】負圧解除弁体の拡大斜視図である。（第１実施例）
【発明を実施するための形態】
【００１５】
以下、本発明の形態を図面を参照して説明する。
【００１６】
図１は泡吐出器の第１実施例を示すもので、泡吐出器１は、容器体Ａと、フォーマーポンプＢと、負圧解除弁体Ｃと、オーバーキャップＤを備えている。尚、説明の便宜上、図１に於いて左方を前部、右方を後部、手前を右側部、奥方を左側部として説明する。
【００１７】
容器体Ａは合成樹脂等により形成され、有底筒状の胴部１０より肩部１１を介して口頸部１２を起立している。
【００１８】
フォーマーポンプＢは、シリンダ部材Ｂ１と、作動部材Ｂ２と、吸い上げ用のパイプＢ３とを備えている。
【００１９】
シリンダ部材Ｂ１は合成樹脂等により形成され、口頸部１２外周に装着筒２０を嵌合して容器体Ａに装着するとともに、装着筒２０上に連設して口頸部１２上に位置させた大径の空気用シリンダ２１と、空気用シリンダ２１と同心円状に連設して容器体Ａ内に垂下した小径の液用シリンダ２２とを備えており、フォーマーポンプＢを容器体Ａに固定する役割を果たす。
【００２０】
空気用シリンダ２１は、周壁２１ａの下端縁より底壁２１ｂを延設し、底壁２１ｂの下面周縁部より、口頸部１２外周に螺合する装着筒２０を垂設している。また、底壁２１ｂ中央に液用シリンダ２２の上端部を開口して液用シリンダ２２と一体に連結している。
【００２１】
また、空気用シリンダ２１の上端部には別体に形成した肩カバー２３を装着している。肩カバー２３は合成樹脂等により形成されたもので、空気用シリンダ周壁２１ａ内周に嵌合した嵌合筒２３ａを、空気用シリンダ周壁２１ａ上に外周縁を嵌合したリング状の基板部２３ｂの下面より垂設し、また、基板部２３ｂの上面内周縁より上方に立設した周壁２３ｃの上端より内方へフランジ状の頂板部２３ｄを延設している。
【００２２】
液用シリンダ２２は、空気用シリンダ底壁２１ｂ中央に上端を開口して下方へ連設しており、空気用シリンダ２１の底壁２１ｂ中央の開口周縁に周壁部２２ａの上端部を連結して下方へ垂設し、周壁部２２ａ下端縁より中央を開口したテーパ状の底壁部２２ｂを延設し、底壁部２２ｂの上面を吸込み弁用の弁座として構成し、液用シリンダ２２内下部を上下動可能に装着されたポペット弁体２４とで吸込み弁２５を構成している。また、底壁部２２ｂの中央開口縁より下方へパイプ嵌合筒２６を一体に垂設している。パイプ嵌合筒２６には吸い上げ用のパイプＢ３の上端を嵌着し、その下端を容器体Ａ内下端部に垂下させている。
【００２３】
作動部材Ｂ２は、液用シリンダ２２内を摺動する液用ピストン３０をステム３１外周下部より突設するとともに、空気用シリンダ２１内を摺動する空気用ピストン３２をステム３１外周上部に連係させ、ステム３１上端に嵌着した連結筒部材４３を介して吐出ヘッド３３を嵌着している。そして、液用ピストン３０下面に介在させたコイルスプリングｓにより上方付勢状態で上下動可能に装着している。
【００２４】
ステム３１内には吐出弁３４を備え、また、ステム３１下端部には、ポペット弁体２４の上端を弁体とし、液用ピストン３０のピストンロッドから突設した環状突片を弁座とする逆止弁３６が設けられている。更に、空気用ピストン３２の内周縁部には空気吐出弁４０を形成しており、空気用ピストン３２には外気導入弁４２を設けている。
【００２５】
連結筒部材４３は下部をステム３１上端部に嵌着し、この嵌着部分に空気吐出弁４０から、吐出弁３４下流のステム３１内に形成される気液混合室Ｒに連通する空気通路４１を形成している。また、気液混合室Ｒ下流の連結筒部材４３の内部には、メッシュ３５を張設した一対の筒体を、メッシュ３５が上下に位置する如く設けて起泡層としている。
【００２６】
吐出ヘッド３３は、連結筒部材４３の上部外周に下部を嵌着した縦筒４４を、頂板４５裏面より垂設し、頂板４５周縁部から外周壁４６を垂設している。また、縦筒４４の上端部に一端を開口し、他端を外周壁４６を貫通して前方へ突設したノズル４７を設け、その先端に吐出口４８を開口している。そして、ステム３１内の気液混合室Ｒから気泡層を介してノズル４７先端の吐出口４８に連通させている。
【００２７】
負圧解除弁体Ｃはエラストマー等の比較的柔軟な材質で形成され、容器体Ａ内の液の減少による負圧時に外気を導入する負圧解除弁５０を構成するもので、口頸部１２上面と空気用シリンダ２１下面との間に挟持させ、上面に内外を連通する通気用溝５１を設けたフランジ５２と、フランジ５２内周縁より液用シリンダ２２外周と隙間をあけ、下端縁を液用シリンダ２２外周に密嵌させた筒状弁板５３を垂設しており、筒状弁板５３と液用シリンダ２２の外周面とで負圧解除弁５０を構成している。液の減少に伴い容器体Ａ内が負圧化した際に、負圧解除弁が開いて、口頸部１２と装着筒２０の間、通気用溝５１、液用シリンダ２２と筒状弁板５３との隙間を介して外気が容器体Ａ内に導入され、容器体Ａ内の負圧を解除する。
【００２８】
オーバーキャップＤは、肩カバー２３の周壁２３ｃ外周に周壁下端部を嵌合させて着脱可能に装着している。
【００２９】
上記泡吐出器１は、例えば、フォーマーポンプＢに負圧解除弁体Ｃを装着したものを、口頸部１２に装着筒２０を螺着することで容器体Ａに装着することができる。本例では、容器体Ａの胴部１０外周と、シリンダ部材Ｂ１の装着筒２０外周及び周壁部２２ａ外周とを略同径に形成しているため、上から下まで略同外径の泡吐出器として構成しており、片手で握っての容易な使用が可能なハンディタイプの泡吐出器として構成している。尚、本例では前記の如く容器体胴部１０の外周面と装着筒２０及び周壁部２２ａの外周面とを略同径に形成した例を示しているが、本発明では、これらが必ずしも略同径に形成されている場合に限られるものではない。
【００３０】
上記フォーマーポンプＢは、図１の状態からオーバーキャップＤを外して吐出ヘッド３３を押し下げると、空気用ピストン３２がステム３１に対して相対的に上昇し、空気吐出弁４０が開き、また下降する空気用ピストン３２により空気用シリンダ２１内の空気が加圧され、空気通路４１を介して吐出弁３４下流位置のステム３１内の気液混合室Ｒ内に導入される。一方、液用ピストン３０が下降してポペット弁体２４を吸込み弁用の弁座に当接させるまで下降させるとともに、逆止弁３６が開き、液用シリンダ２２内の加圧液を吐出弁３４を介して気液混合室Ｒに導入させ、ここで、気液を混合する。気液混合室Ｒで混合された気液は起泡層を通過して発泡し、吐出ヘッド３３のノズル４７先端の吐出口４８より泡として吐出される。
【００３１】
吐出ヘッド３３の押圧を解除するとコイルスプリングｓの付勢力により作動部材Ｂ２が上昇し、その際空気用ピストン３２がステム３１に対して相対的に下降して空気吐出弁４０が閉じ、空気用シリンダ２１内の負圧化によって外気導入弁４２が開いて外気が空気用シリンダ２１内に導入される。一方、ステム３１の上昇によりポペット弁体２４は上昇し、吸込み弁２５が開いて負圧化した液用シリンダ２２内に容器体Ａ内の液が導入され、その際吐出弁３４及び逆止弁３６は閉じる。また、容器体Ａ内の液の減少に伴って容器体Ａ内が負圧化し、負圧解除弁５０が開いて外気が容器体Ａ内へ導入される。
【００３２】
容器体Ａ内の液が無くなった場合には、フォーマーポンプＢより容器体Ａを外して液の詰め替えを行うことができ、或いは、液の充填されている詰め替え用の容器体Ａを装着することで再使用が可能となる。
【符号の説明】
【００３３】
１：泡吐出器
Ａ：容器体
１０…胴部、１１…肩部、１２…口頸部
Ｂ：フォーマーポンプ
Ｂ１：シリンダ部材
２０…装着筒、２１…空気用シリンダ、２１ａ…周壁、２１ｂ…底壁、
２２…液用シリンダ、２２ａ…周壁部、２２ｂ…底壁部、２３…肩カバー、
２３ａ…嵌合筒、２３ｂ…基板部、２３ｃ…周壁、２３ｄ…頂板部、
２４…ポペット弁体、２５…吸込み弁、２６…パイプ嵌合筒、
Ｂ２：作動部材
３０…液用ピストン、３１…ステム、３２…空気用ピストン、３３…吐出ヘッド、
３４…吐出弁、３５…メッシュ、３６…逆止弁、４０…空気吐出弁、４１…空気通路、
４２…外気導入弁、４３…連結筒部材、４４…縦筒、４５…頂板、４６…外周壁、
４７…ノズル、４８…吐出口、Ｒ…気液混合室                                      Ｂ３：パイプ
ｓ：コイルスプリング
Ｃ：負圧解除弁体
５０…負圧解除弁、５１…通気用溝、５２…フランジ、５３…筒状弁板
Ｄ：オーバーキャップ
【図１】
0005891563.tif 000002
【図２】
0005891563.tif 000003